【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
ビデオ通話内で撮像される未知の第三者を特定するための、前記ビデオ通話に参加するユーザのコンピューティングデバイスのための方法であって、
前記ビデオ通話内の前記未知の第三者の画像に画像認識技法を適用して、前記ユーザのコンピューティングデバイス内で画像特性データを生成するステップと、
前記生成された画像特性データが前記ユーザのコンピューティングデバイス内の第1の連絡先データベース内のデータと一致するかどうかを判定するステップであって、前記第1の連絡先データベース内の前記データが少なくとも第1の画像を含む、ステップと、
前記生成された画像特性データが前記ユーザのコンピューティングデバイスの前記第1の連絡先データベース内の前記データと一致しないと判定したことに応答して、前記未知の第三者に関する情報を要求するメッセージを送信するステップと、
別のデバイスの第2の連絡先データベース内のデータに対応する応答メッセージを受信するステップであって、前記第2の連絡先データベース内の前記データが少なくとも第2の画像を含む、ステップと、
前記受信された応答メッセージに基づいて、前記生成された画像特性データが前記別のデバイスの前記第2の連絡先データベース内の前記データと一致するかどうかを判定するステップと、
前記生成された画像特性データが前記第1の連絡先データベースおよび前記第2の連絡先データベースのうち少なくとも1つからのデータと一致すると判定されたことに応答して、前記応答メッセージから前記未知の第三者に対応する連絡先情報を取得するステップと、
前記取得された連絡先情報に関連付けられたコンピューティングデバイスに、前記取得された連絡先情報に関連付けられた前記コンピューティングデバイスの位置情報を要求する身元確認メッセージを送信するステップと、
前記身元確認メッセージの送信に応答して、前記ユーザのコンピューティングデバイスにおいて、前記取得された連絡先情報に関連付けられた前記コンピューティングデバイスの位置情報を示すメッセージを受信するステップと、
前記取得された連絡先情報に関連付けられた前記コンピューティングデバイスが、前記ビデオ通話に参加するデバイスに近いかどうかを前記位置情報に基づいて判定するステップと、
前記取得された連絡先情報に関連付けられた前記コンピューティングデバイスが、前記ビデオ通話に参加するデバイスに近いと判定したことに応答して、前記未知の第三者に対応する前記取得された連絡先情報を使用するステップと
を含む、方法。
【請求項２】
前記メッセージが、前記ビデオ通話に参加しているコンピューティングデバイス、子孫コンピューティングデバイス、およびサーバのうちの少なくとも1つに送信される、請求項1に記載の方法。
【請求項３】
前記生成された画像特性データが、顔の特徴、物理的な測定結果、性別、人種、体重、衣服の属性、位置、体の寸法、髪の色、刺青、およびグループとの関連のうちの少なくとも1つを記述するメタデータ情報を含む、請求項1に記載の方法。
【請求項４】
前記ビデオ通話の画像内での選択を示す、前記ユーザのコンピューティングデバイスへのユーザ入力を検出するステップをさらに含み、
前記ビデオ通話内の前記未知の第三者の画像に画像認識技法を適用するステップが、前記ビデオ通話の前記画像内での前記示された選択において表される顔に顔認識技法を適用するステップを含む、
請求項１に記載の方法。
【請求項５】
前記生成された画像特性データが前記ユーザのコンピューティングデバイスの前記第1の連絡先データベース内の前記データと一致しないと判定したことに応答して、前記未知の第三者に関する情報を要求するメッセージを送信するステップは、前記生成された画像特性データを含み、前記生成された画像特性データが別のデバイスの第2の連絡先データベース内のデータと一致するかどうかを判定するように前記別のデバイスに要求する、要求メッセージを送信するステップを含み、
前記生成された画像特性データが前記別のデバイスの前記第2の連絡先データベース内の前記データと一致するかどうかを判定するステップは、前記第2の連絡先データベースにおいて一致が発見されたことを示す前記受信された応答メッセージ内の情報に基づいて前記生成された画像特性データが前記別のデバイスの前記第2の連絡先データベース内の前記データと一致するかどうかを判定するステップを含み、
前記生成された画像特性データが前記第2の連絡先データベースからのデータと一致すると判定されたことに応答して、前記未知の第三者に対応する連絡先情報を取得するステップは、前記応答メッセージから前記連絡先情報を取得するステップを含む、
請求項１に記載の方法。
【請求項６】
前記生成された画像特性データが前記ユーザのコンピューティングデバイスの前記第1の連絡先データベース内の前記データと一致しないと判定したことに応答して、前記未知の第三者に関する前記情報を要求するメッセージを送信するステップが、前記別のデバイスの前記第2の連絡先データベースからの連絡先情報データを要求するメッセージを送信するステップを含み、
前記生成された画像特性データが前記別のデバイスの前記第2の連絡先データベース内の前記データと一致するかどうかを判定するステップが、前記生成された画像特性データが前記応答メッセージにおいて受信される前記データと一致するかどうかを判定するステップを含み、
前記生成された画像特性データが前記第2の連絡先データベースからのデータと一致すると判定されたことに応答して、前記未知の第三者に対応する連絡先情報を取得するステップは、前記応答メッセージから前記連絡先情報を取得するステップを含む、
請求項1に記載の方法。
【請求項７】
前記未知の第三者に対応する前記取得された連絡先情報を使用するステップが、
前記取得された連絡先情報を使用して、前記未知の第三者のコンピューティングデバイスに招待メッセージを送信するステップと、
前記ビデオ通話に対して前記未知の第三者を参加者として認めるステップと、
を含む、請求項1に記載の方法。
【請求項８】
前記ビデオ通話内に現れる前記未知の第三者の画像と関連付けられる唇の動きの情報を検出するステップと、
前記ビデオ通話の前記検出された唇の動きの情報およびオーディオデータに基づいて、前記未知の第三者に関する身元特定オーディオデータを生成するステップとをさらに含み、
前記未知の第三者に関する前記情報を要求するメッセージを送信するステップが、前記生成された身元特定オーディオデータが前記別のデバイスの前記第2の連絡先データベース内のデータと一致するかどうかを判定するように前記別のデバイスに要求する、前記生成された身元特定オーディオデータを含む要求メッセージを送信するステップを含み、
前記受信された応答メッセージが、前記生成された身元特定オーディオデータが前記第2の連絡先データベース内のオーディオデータと一致するかどうかを示す、請求項1に記載の方法。
【請求項９】
前記未知の第三者の前記取得された連絡先情報が、複数の一致する可能性がある者の連絡先情報を含み、前記方法が、
前記複数の一致する可能性がある者の各々と関連付けられるコンピューティングデバイスに、各々の一致する可能性がある者の位置情報を要求する前記身元確認メッセージを、前記ユーザのコンピューティングデバイスから送信するステップと、
前記複数の一致する可能性がある者の各々の位置情報を示す応答メッセージを前記ユーザのコンピューティングデバイスにおいて受信するステップと、
前記複数の一致する可能性がある者の各々に対する位置情報を示す前記受信された応答メッセージ中の前記位置情報に基づいて、前記ビデオ通話に参加しているデバイスに対する前記複数の一致する可能性がある者の各々の近接度を判定するステップと、
前記判定された近接度に基づいて、前記複数の一致する可能性がある者のうちの複数の一致する可能性がある者が、前記ビデオ通話に参加している前記デバイスの近くにいると判定されたことに応答して、前記複数の一致する可能性がある者の各々と関連付けられるコンピューティングデバイスに確認メッセージを送信するステップと、
前記判定された近接度に基づいて、前記複数の一致する可能性がある者のうちのある一致する可能性がある者のみが、前記ビデオ通話に参加している前記デバイスの近くにいると判定されたことに応答して、前記ある一致する可能性がある者として前記未知の第三者を特定するステップとをさらに含む、請求項1に記載の方法。
【請求項１０】
前記ビデオ通話内の前記未知の第三者の第2の顔の画像を取得するステップと、
前記第2の顔の画像を取得したことに応答して、前記ビデオ通話内の前記未知の第三者の前記第2の顔の画像に顔認識技法を適用して、前記ユーザのコンピューティングデバイス内で新たな画像特性データを生成するステップと、
前記新たな画像特性データが前記ユーザのコンピューティングデバイス内の前記第1の連絡先データベース内の前記データと一致するかどうかを判定するステップと、
前記新たな画像特性データが前記ユーザのコンピューティングデバイスの前記第1の連絡先データベース内の前記データと一致しないと判定したことに応答して、前記新たな画像特性データを含み前記未知の第三者に関する前記情報を要求する第2のメッセージを送信するステップとをさらに含む、請求項1に記載の方法。
【請求項１１】
前記生成された画像特性データが前記ユーザのコンピューティングデバイス内の前記第1の連絡先データベース内の前記データと一致しないと判定したことに応答して、前記生成された画像特性データを含み前記未知の第三者に関する前記情報を要求するメッセージを、前記ビデオ通話に参加していない個人のコンピューティングデバイスに送信するステップをさらに含む、請求項1に記載の方法。
【請求項１２】
前記ビデオ通話内で、前記未知の第三者と関連付けられるシグナリング情報を検出するステップと、
前記検出されたシグナリング情報の処理に基づいて、前記未知の第三者の身元特定情報を取得するステップとをさらに含み、
前記検出されたシグナリング情報が、音、画像、一連の画像、一連の音、記号、および任意の形式のモールス信号シグナリングのうちの少なくとも1つである、請求項1に記載の方法。
【請求項１３】
前記別のデバイスが、前記ビデオ通話に参加している複数のデバイス中の第1の参加者のコンピューティングデバイスであり、前記方法が、
前記生成された画像特性データが前記ビデオ通話に参加している前記複数のデバイス中の前記第1の参加者のコンピューティングデバイスと関連付けられる前記第2の連絡先データベースからの前記データと一致しないと判定されたことに応答して、前記ビデオ通話に参加している前記複数のデバイス中の他のコンピューティングデバイスに、前記未知の第三者に関する前記情報を要求する前記メッセージを送信するステップと、
前記ビデオ通話に参加している前記複数のデバイス中の前記他のコンピューティングデバイスの連絡先データベース内のデータに対応する応答メッセージを受信するステップと、
前記受信された応答メッセージに基づいて、前記生成された画像特性データが前記ビデオ通話に参加している前記複数のデバイス中の前記他のコンピューティングデバイスの前記連絡先データベース内の前記データと一致するかどうかを判定するステップと、
前記生成された画像特性データが前記ビデオ通話に参加している前記複数のデバイス中の前記他のコンピューティングデバイスの少なくとも1つの連絡先データベースからのデータと一致すると判定されたことに応答して、前記未知の第三者に対応する前記連絡先情報を取得するステップとをさらに含む、請求項1に記載の方法。
【請求項１４】
前記生成された画像特性データが前記ビデオ通話に参加している前記複数のデバイス中の前記他のコンピューティングデバイスのいずれの連絡先データベースからのデータとも一致しないと判定されたことに応答して、前記ビデオ通話に参加している前記複数のデバイス中の前記コンピューティングデバイスの連絡先データベース内で示される子孫コンピューティングデバイスからの前記未知の第三者に関する前記情報を要求するメッセージを、前記ビデオ通話に参加している前記複数のデバイス中のすべてのコンピューティングデバイスに送信するステップであって、前記子孫コンピューティングデバイスが、前記ビデオ通話に参加している前記複数のデバイス中の前記コンピューティングデバイスに対する近接度の順序で、前記ビデオ通話に参加している前記複数のデバイス中の前記コンピューティングデバイスによって連絡される、ステップと、
前記子孫コンピューティングデバイスの連絡先データベース内のデータに対応する追加の応答メッセージを受信するステップと、
前記受信された追加の応答メッセージに基づいて、前記生成された画像特性データが前記子孫コンピューティングデバイスの前記連絡先データベース内の前記データと一致するかどうかを判定するステップと、
前記生成された画像特性データが前記子孫コンピューティングデバイスの少なくとも1つの連絡先データベースからのデータと一致すると判定されたことに応答して、前記未知の第三者に対応する前記連絡先情報を取得するステップとをさらに含む、請求項13に記載の方法。
【請求項１５】
前記生成された画像特性データが前記子孫コンピューティングデバイスのいずれの連絡先データベースからのデータとも一致しないと判定されたことに応答して、前記ユーザのコンピューティングデバイスによって受信される応答メッセージを送信したデバイスの連絡先データベース内で示されるデバイスからの前記未知の第三者に関する前記情報を要求する追加のメッセージを反復的に送信するステップであって、前記応答メッセージを送信した前記デバイスが少なくとも前記子孫コンピューティングデバイスを含む、ステップと、
受信された応答メッセージに基づいて前記ユーザのコンピューティングデバイスが前記未知の第三者を特定したかどうか、タイマの経過、および受信された応答メッセージの数のうちの1つに基づいて、前記追加のメッセージの反復的な送信を続けるかどうかを判定するステップとをさらに含む、請求項14に記載の方法。
【請求項１６】
前記生成された画像特性データが前記ユーザのコンピューティングデバイス内の第1の連絡先データベース内のデータと一致するかどうかを判定するステップが、前記生成された画像特性データを、前記ユーザのコンピューティングデバイス上の前記第1の連絡先データベース内の画像と比較するステップを含む、請求項1に記載の方法。
【請求項１７】
ユーザのコンピューティングデバイスであって、
ビデオ通話内の未知の第三者の画像に画像認識技法を適用して、前記ユーザのコンピューティングデバイス内で画像特性データを生成するための手段と、
前記生成された画像特性データが前記ユーザのコンピューティングデバイス内の第1の連絡先データベース内のデータと一致するかどうかを判定するための手段であって、前記第1の連絡先データベース内の前記データが少なくとも第1の画像を含む、手段と、
前記生成された画像特性データが前記ユーザのコンピューティングデバイスの前記第1の連絡先データベース内の前記データと一致しないと判定したことに応答して、前記未知の第三者に関する情報を要求するメッセージを送信するための手段と、
別のデバイスの第2の連絡先データベース内のデータに対応する応答メッセージを受信するための手段であって、前記第2の連絡先データベース内の前記データが少なくとも第2の画像を含む、手段と、
前記受信された応答メッセージに基づいて、前記生成された画像特性データが前記別のデバイスの前記第2の連絡先データベース内の前記データと一致するかどうかを判定するための手段と、
前記生成された画像特性データが前記第1の連絡先データベースおよび前記第2の連絡先データベースのうち少なくとも1つからのデータと一致すると判定されたことに応答して、前記応答メッセージから前記未知の第三者に対応する連絡先情報を取得するための手段と、
前記取得された連絡先情報に関連付けられたコンピューティングデバイスに、前記取得された連絡先情報に関連付けられた前記コンピューティングデバイスの位置情報を要求する身元確認メッセージを送信するための手段と、
前記身元確認メッセージの送信に応答して、前記取得された連絡先情報に関連付けられた前記コンピューティングデバイスの位置情報を示すメッセージを受信するための手段と、
前記取得された連絡先情報に関連付けられた前記コンピューティングデバイスが、前記ビデオ通話に参加するデバイスに近いかどうかを前記位置情報に基づいて判定するための手段と、
前記取得された連絡先情報に関連付けられた前記コンピューティングデバイスが、前記ビデオ通話に参加するデバイスに近いと判定したことに応答して、前記未知の第三者に対応する前記取得された連絡先情報を使用するための手段と
を備える、ユーザのコンピューティングデバイス。
【請求項１８】
前記メッセージが、前記ビデオ通話に参加している別のコンピューティングデバイス、子孫コンピューティングデバイス、およびサーバのうちの少なくとも1つに送信される、請求項17に記載のユーザのコンピューティングデバイス。
【請求項１９】
前記生成された画像特性データが、顔の特徴、物理的な測定結果、性別、人種、体重、衣服の属性、位置、体の寸法、髪の色、刺青、およびグループとの関連のうちの少なくとも1つを記述するメタデータ情報を含む、請求項17に記載のユーザのコンピューティングデバイス。
【請求項２０】
前記ビデオ通話の画像内での選択を示す、前記ユーザのコンピューティングデバイスへのユーザ入力を検出するための手段をさらに含み、
前記ビデオ通話内の前記未知の第三者の画像に画像認識技法を適用するための手段が、前記ビデオ通話の前記画像内での前記示された選択において表される顔に顔認識技法を適用するための手段を含む、
請求項17に記載のユーザのコンピューティングデバイス。
【請求項２１】
前記生成された画像特性データが前記ユーザのコンピューティングデバイスの前記第1の連絡先データベース内の前記データと一致しないと判定したことに応答して、前記未知の第三者に関する情報を要求するメッセージを送信するための手段は、前記生成された画像特性データを含み、前記生成された画像特性データが別のデバイスの第2の連絡先データベース内のデータと一致するかどうかを判定するように前記別のデバイスに要求する、要求メッセージを送信するための手段を含み、
前記生成された画像特性データが前記別のデバイスの前記第2の連絡先データベース内の前記データと一致するかどうかを判定するための手段は、前記第2の連絡先データベースにおいて一致が発見されたことを示す前記受信された応答メッセージ内の情報に基づいて前記生成された画像特性データが前記別のデバイスの前記第2の連絡先データベース内の前記データと一致するかどうかを判定するための手段を含み、
前記生成された画像特性データが前記第2の連絡先データベースからのデータと一致すると判定されたことに応答して、前記未知の第三者に対応する連絡先情報を取得するための手段は、前記応答メッセージから前記連絡先情報を取得するための手段を含む、
請求項17に記載のユーザのコンピューティングデバイス。
【請求項２２】
前記生成された画像特性データが前記ユーザのコンピューティングデバイスの前記第1の連絡先データベース内の前記データと一致しないと判定したことに応答して、前記未知の第三者に関する前記情報を要求するメッセージを送信するための手段が、前記別のデバイスの前記第2の連絡先データベースからの連絡先情報データを要求するメッセージを送信するための手段を含み、
前記生成された画像特性データが前記別のデバイスの前記第2の連絡先データベース内の前記データと一致するかどうかを判定するための手段が、前記生成された画像特性データが前記応答メッセージにおいて受信される前記データと一致するかどうかを判定するための手段を含み、
前記生成された画像特性データが前記第2の連絡先データベースからのデータと一致すると判定されたことに応答して、前記未知の第三者に対応する連絡先情報を取得するための手段は、前記応答メッセージから前記連絡先情報を取得するための手段を含む、
請求項17に記載のユーザのコンピューティングデバイス。
【請求項２３】
前記未知の第三者に対応する前記取得された連絡先情報を使用するための手段が、
前記取得された連絡先情報を使用して、前記未知の第三者のコンピューティングデバイスに招待メッセージを送信するための手段と、
前記ビデオ通話に対して前記未知の第三者を参加者として認めるための手段と、
請求項17に記載のユーザのコンピューティングデバイス。
【請求項２４】
前記ビデオ通話内に現れる前記未知の第三者の画像と関連付けられる唇の動きの情報を検出するための手段と、
前記ビデオ通話の前記検出された唇の動きの情報およびオーディオデータに基づいて、前記未知の第三者に関する身元特定オーディオデータを生成するための手段とをさらに含み、
前記未知の第三者に関する前記情報を要求するメッセージを送信するための手段が、前記生成された身元特定オーディオデータが前記別のデバイスの前記第2の連絡先データベース内のデータと一致するかどうかを判定するように前記別のデバイスに要求する、前記生成された身元特定オーディオデータを含む要求メッセージを送信するための手段を含み、
前記受信された応答メッセージが、前記生成された身元特定オーディオデータが前記第2の連絡先データベース内のオーディオデータと一致するかどうかを示す、
請求項17に記載のユーザのコンピューティングデバイス。
【請求項２５】
前記未知の第三者の前記取得された連絡先情報が、複数の一致する可能性がある者の連絡先情報を含み、
前記複数の一致する可能性がある者の各々と関連付けられるコンピューティングデバイスに、各々の一致する可能性がある者の位置情報を要求する前記身元確認メッセージを、前記ユーザのコンピューティングデバイスから送信するための手段と、
前記複数の一致する可能性がある者の各々の位置情報を示す応答メッセージを前記ユーザのコンピューティングデバイスにおいて受信するための手段と、
前記複数の一致する可能性がある者の各々に対する位置情報を示す前記受信された応答メッセージ中の前記位置情報に基づいて、前記ビデオ通話に参加しているデバイスに対する前記複数の一致する可能性がある者の各々の近接度を判定するための手段と、
前記判定された近接度に基づいて、前記ビデオ通話に参加している前記デバイスに最も近いと判定された、前記複数の一致する可能性がある者の各々の一致する可能性がある者と関連付けられるコンピューティングデバイスに確認メッセージを送信するための手段と、
前記判定された近接度に基づいて、前記複数の一致する可能性がある者のうちのある一致する可能性がある者のみが、前記ビデオ通話に参加している前記デバイスの近くにいると判定されたことに応答して、、前記ある一致する可能性がある者として前記未知の第三者を特定するための手段とをさらに含む、請求項17に記載のユーザのコンピューティングデバイス。
【請求項２６】
前記ビデオ通話内の前記未知の第三者の第2の顔の画像を取得するための手段と、
前記第2の顔の画像を取得したことに応答して、前記ビデオ通話内の前記未知の第三者の前記第2の顔の画像に顔認識技法を適用して、前記ユーザのコンピューティングデバイス内で新たな画像特性データを生成するための手段と、
前記新たな画像特性データが前記ユーザのコンピューティングデバイス内の前記第1の連絡先データベース内の前記データと一致するかどうかを判定するための手段と、
前記新たな画像特性データが前記ユーザのコンピューティングデバイスの前記第1の連絡先データベース内の前記データと一致しないと判定したことに応答して、前記新たな画像特性データを含み前記未知の第三者に関する前記情報を要求する第2のメッセージを送信するための手段とをさらに含む、請求項17に記載のユーザのコンピューティングデバイス。
【請求項２７】
前記生成された画像特性データが前記ユーザのコンピューティングデバイス内の前記第1の連絡先データベース内の前記データと一致しないと判定したことに応答して、前記生成された画像特性データを含み前記未知の第三者に関する前記情報を要求するメッセージを、前記ビデオ通話に参加していない個人のコンピューティングデバイスに送信するための手段をさらに含む、請求項17に記載のユーザのコンピューティングデバイス。
【請求項２８】
前記ビデオ通話内で、前記未知の第三者と関連付けられるシグナリング情報を検出するための手段と、
前記検出されたシグナリング情報の処理に基づいて、前記未知の第三者の身元特定情報を取得するための手段とをさらに含み、
前記検出されたシグナリング情報が、音、画像、一連の画像、一連の音、記号、および任意の形式のモールス信号シグナリングのうちの少なくとも1つである、請求項17に記載のユーザのコンピューティングデバイス。
【請求項２９】
前記別のデバイスが、前記ビデオ通話に参加している複数のデバイス中の第1の参加者のコンピューティングデバイスであり、
前記生成された画像特性データが前記ビデオ通話に参加している前記複数のデバイス中の前記第1の参加者のコンピューティングデバイスと関連付けられる前記第2の連絡先データベースからの前記データと一致しないと判定されたことに応答して、前記ビデオ通話に参加している前記複数のデバイス中の他のコンピューティングデバイスに、前記未知の第三者に関する前記情報を要求する前記メッセージを送信するための手段と、
前記ビデオ通話に参加している前記複数のデバイス中の前記他のコンピューティングデバイスの連絡先データベース内のデータに対応する応答メッセージを受信するための手段と、
前記受信された応答メッセージに基づいて、前記生成された画像特性データが前記ビデオ通話に参加している前記複数のデバイス中の前記他のコンピューティングデバイスの前記連絡先データベース内の前記データと一致するかどうかを判定するための手段と、
前記生成された画像特性データが前記ビデオ通話に参加している前記複数のデバイス中の前記他のコンピューティングデバイスの少なくとも1つの連絡先データベースからのデータと一致すると判定されたことに応答して、前記未知の第三者に対応する前記連絡先情報を取得するための手段とをさらに含む、請求項24に記載のユーザのコンピューティングデバイス。
【請求項３０】
前記生成された画像特性データが前記ビデオ通話に参加している前記複数のデバイス中の前記他のコンピューティングデバイスのいずれの連絡先データベースからのデータとも一致しないと判定されたことに応答して、前記ビデオ通話に参加している前記複数のデバイス中の前記コンピューティングデバイスの連絡先データベース内で示される子孫コンピューティングデバイスからの前記未知の第三者に関する前記情報を要求するメッセージを、前記ビデオ通話に参加している前記複数のデバイス中のすべてのコンピューティングデバイスに送信するための手段であって、前記子孫コンピューティングデバイスが、前記ビデオ通話に参加している前記複数のデバイス中の前記コンピューティングデバイスに対する近接度の順序で、前記ビデオ通話に参加している前記複数のデバイス中の前記コンピューティングデバイスによって連絡される、手段と、
前記子孫コンピューティングデバイスの連絡先データベース内のデータに対応する追加の応答メッセージを受信するための手段と、
前記受信された追加の応答メッセージに基づいて、前記生成された画像特性データが前記子孫コンピューティングデバイスの前記連絡先データベース内の前記データと一致するかどうかを判定するための手段と、
前記生成された画像特性データが前記子孫コンピューティングデバイスの少なくとも1つの連絡先データベースからのデータと一致すると判定されたことに応答して、前記未知の第三者に対応する前記連絡先情報を取得するための手段とをさらに含む、請求項29に記載のユーザのコンピューティングデバイス。
【請求項３１】
前記生成された画像特性データが前記子孫コンピューティングデバイスのいずれの連絡先データベースからのデータとも一致しないと判定されたことに応答して、前記ユーザのコンピューティングデバイスによって受信される応答メッセージを送信したデバイスの連絡先データベース内で示されるデバイスからの前記未知の第三者に関する前記情報を要求する追加のメッセージを反復的に送信するための手段であって、前記応答メッセージを送信した前記デバイスが少なくとも前記子孫コンピューティングデバイスを含む、手段と、
受信された応答メッセージに基づいて前記ユーザのコンピューティングデバイスが前記未知の第三者を特定したかどうか、タイマの経過、および受信された応答メッセージの数のうちの1つに基づいて、前記追加のメッセージの反復的な送信を続けるかどうかを判定するための手段とをさらに含む、請求項30に記載のユーザのコンピューティングデバイス。
【請求項３２】
前記生成された画像特性データが前記ユーザのコンピューティングデバイス内の第1の連絡先データベース内のデータと一致するかどうかを判定するための手段が、前記生成された画像特性データを、前記ユーザのコンピューティングデバイス上の前記第1の連絡先データベース内の画像と比較するための手段を含む、請求項17に記載のユーザのコンピューティングデバイス。
【請求項３３】
メモリと、
前記メモリに結合されたプロセッサとを含み、前記プロセッサが、
ビデオ通話内の未知の第三者の画像に画像認識技法を適用して、画像特性データを生成するステップと、
前記生成された画像特性データが前記メモリに格納された第1の連絡先データベース内のデータと一致するかどうかを判定するステップであって、前記第1の連絡先データベース内の前記データが少なくとも第1の画像を含む、ステップと、
前記生成された画像特性データが前記前記メモリに格納された前記第1の連絡先データベース内の前記データと一致しないと判定したことに応答して、前記未知の第三者に関する情報を要求するメッセージを送信するステップと、
別のデバイスの第2の連絡先データベース内のデータに対応する応答メッセージを受信するステップであって、前記第2の連絡先データベース内の前記データが少なくとも第2の画像を含む、ステップと、
前記受信された応答メッセージに基づいて、前記生成された画像特性データが前記別のデバイスの前記第2の連絡先データベース内の前記データと一致するかどうかを判定するステップと、
前記生成された画像特性データが前記第1の連絡先データベースおよび前記第2の連絡先データベースのうち少なくとも1つからのデータと一致すると判定されたことに応答して、前記応答メッセージから前記未知の第三者に対応する連絡先情報を取得するステップと、
前記取得された連絡先情報に関連付けられたコンピューティングデバイスに、前記取得された連絡先情報に関連付けられた前記コンピューティングデバイスの位置情報を要求する身元確認メッセージを送信するステップと、
前記身元確認メッセージの送信に応答して、前記取得された連絡先情報に関連付けられた前記コンピューティングデバイスの位置情報を示すメッセージを受信するステップと、
前記取得された連絡先情報に関連付けられた前記コンピューティングデバイスが、前記ビデオ通話に参加するデバイスに近いかどうかを前記位置情報に基づいて判定するステップと、
前記取得された連絡先情報に関連付けられた前記コンピューティングデバイスが、前記ビデオ通話に参加するデバイスに近いと判定したことに応答して、前記未知の第三者に対応する前記取得された連絡先情報を使用するステップと
を含む動作を実行するように、プロセッサ実行可能命令によって構成される、ユーザのコンピューティングデバイス。
【請求項３４】
前記メッセージが、前記ビデオ通話に参加している別のコンピューティングデバイス、子孫コンピューティングデバイス、およびサーバのうちの少なくとも1つに送信されるように、動作を実行するように、前記プロセッサがプロセッサ実行可能命令によって構成される、請求項33に記載のユーザのコンピューティングデバイス。
【請求項３５】
前記生成された画像特性データが、顔の特徴、物理的な測定結果、性別、人種、体重、衣服の属性、位置、体の寸法、髪の色、刺青、およびグループとの関連のうちの少なくとも1つを記述するメタデータ情報を含むように、動作を実行するように、前記プロセッサがプロセッサ実行可能命令によって構成される、請求項33に記載のユーザのコンピューティングデバイス。
【請求項３６】
前記ビデオ通話の画像内での選択を示す、前記ユーザのコンピューティングデバイスへのユーザ入力を検出するステップをさらに含む動作を実行するように、前記プロセッサがプロセッサ実行可能命令によって構成され、
前記ビデオ通話内の前記未知の第三者の画像に画像認識技法を適用するステップが、前記ビデオ通話の前記画像内での前記示された選択において表される顔に顔認識技法を適用するステップを含むように、動作を実行するように、前記プロセッサがプロセッサ実行可能命令によって構成される、
請求項33に記載のユーザのコンピューティングデバイス。
【請求項３７】
前記生成された画像特性データが前記ユーザのコンピューティングデバイスの前記第1の連絡先データベース内の前記データと一致しないと判定したことに応答して、前記未知の第三者に関する情報を要求するメッセージを送信するステップは、前記生成された画像特性データを含み、前記生成された画像特性データが別のデバイスの第2の連絡先データベース内のデータと一致するかどうかを判定するように前記別のデバイスに要求する、要求メッセージを送信するステップを含み、
前記生成された画像特性データが前記別のデバイスの前記第2の連絡先データベース内の前記データと一致するかどうかを判定するステップは、前記第2の連絡先データベースにおいて一致が発見されたことを示す前記受信された応答メッセージ内の情報に基づいて前記生成された画像特性データが前記別のデバイスの前記第2の連絡先データベース内の前記データと一致するかどうかを判定するステップを含み、
前記生成された画像特性データが前記第2の連絡先データベースからのデータと一致すると判定されたことに応答して、前記未知の第三者に対応する連絡先情報を取得するステップは、前記応答メッセージから前記連絡先情報を取得するステップを含む、
ように、動作を実行するように、前記プロセッサがプロセッサ実行可能命令によって構成される、請求項33に記載のユーザのコンピューティングデバイス。
【請求項３８】
前記生成された画像特性データが前記ユーザのコンピューティングデバイスの前記第1の連絡先データベース内の前記データと一致しないと判定したことに応答して、前記未知の第三者に関する前記情報を要求するメッセージを送信するステップが、前記別のデバイスの前記第2の連絡先データベースからの連絡先情報データを要求するメッセージを送信するステップを含み、
前記生成された画像特性データが前記別のデバイスの前記第2の連絡先データベース内の前記データと一致するかどうかを判定するステップが、前記生成された画像特性データが前記応答メッセージにおいて受信される前記データと一致するかどうかを判定するステップを含み、
前記生成された画像特性データが前記第2の連絡先データベースからのデータと一致すると判定されたことに応答して、前記未知の第三者に対応する連絡先情報を取得するステップは、前記応答メッセージから前記連絡先情報を取得するステップを含む、
ように、動作を実行するように、前記プロセッサがプロセッサ実行可能命令によって構成される、請求項33に記載のユーザのコンピューティングデバイス。
【請求項３９】
前記未知の第三者に対応する前記取得された連絡先情報を使用するステップが、
前記取得された連絡先情報を使用して、前記未知の第三者のコンピューティングデバイスに招待メッセージを送信するステップと、
前記ビデオ通話に対して前記未知の第三者を参加者として認めるステップと、
ように、動作を実行するように、前記プロセッサがプロセッサ実行可能命令によって構成される、請求項33に記載のユーザのコンピューティングデバイス。
【請求項４０】
前記ビデオ通話内に現れる前記未知の第三者の画像と関連付けられる唇の動きの情報を検出するステップと、
前記ビデオ通話の前記検出された唇の動きの情報およびオーディオデータに基づいて、前記未知の第三者に関する身元特定オーディオデータを生成するステップとをさらに含む動作を実行するように、前記プロセッサがプロセッサ実行可能命令によって構成され、
前記未知の第三者に関する前記情報を要求するメッセージを送信するステップが、前記生成された身元特定オーディオデータが前記別のデバイスの前記第2の連絡先データベース内のデータと一致するかどうかを判定するように前記別のデバイスに要求する、前記生成された身元特定オーディオデータを含む要求メッセージを送信するステップを含むように、動作を実行するように、前記プロセッサがプロセッサ実行可能命令によって構成される、
前記受信された応答メッセージが、前記生成された身元特定オーディオデータが前記第2の連絡先データベース内のオーディオデータと一致するかどうかを示す、
請求項33に記載のユーザのコンピューティングデバイス。
【請求項４１】
前記未知の第三者の前記取得された連絡先情報が複数の一致する可能性がある者の連絡先情報を含み、前記プロセッサが、
前記複数の一致する可能性がある者の各々と関連付けられるコンピューティングデバイスに、各々の一致する可能性がある者の位置情報を要求する前記身元確認メッセージを、前記ユーザのコンピューティングデバイスから送信するステップと、
前記複数の一致する可能性がある者の各々の位置情報を示す応答メッセージを前記ユーザのコンピューティングデバイスにおいて受信するステップと、
前記複数の一致する可能性がある者の各々に対する位置情報を示す前記受信された応答メッセージ中の前記位置情報に基づいて、前記ビデオ通話に参加しているデバイスに対する前記複数の一致する可能性がある者の各々の近接度を判定するステップと、
前記判定された近接度に基づいて、前記複数の一致する可能性がある者のうちの複数の一致する可能性がある者が、前記ビデオ通話に参加している前記デバイスの近くにいると判定されたことに応答して、前記複数の一致する可能性がある者の各々と関連付けられるコンピューティングデバイスに確認メッセージを送信するステップと、
前記判定された近接度に基づいて、前記複数の一致する可能性がある者のうちのある一致する可能性がある者のみが、前記ビデオ通話に参加している前記デバイスの近くにいると判定されたことに応答して、前記ある一致する可能性がある者として前記未知の第三者を特定するステップとをさらに含む、
動作を実行するように、プロセッサ実行可能命令によって構成される、請求項33に記載のユーザのコンピューティングデバイス。
【請求項４２】
前記ビデオ通話内の前記未知の第三者の第2の顔の画像を取得するステップと、
前記第2の顔の画像を取得したことに応答して、前記ビデオ通話内の前記未知の第三者の前記第2の顔の画像に顔認識技法を適用して、前記ユーザのコンピューティングデバイス内で新たな画像特性データを生成するステップと、
前記新たな画像特性データが前記メモリに記憶されている前記第1の連絡先データベース内の前記データと一致するかどうかを判定するステップと、
前記新たな画像特性データが前記メモリに記憶されている前記第1の連絡先データベース内の前記データと一致しないと判定したことに応答して、前記新たな画像特性データを含み前記未知の第三者に関する前記情報を要求する第2のメッセージを送信するステップとをさらに含む動作を実行するように、前記プロセッサがプロセッサ実行可能命令によって構成される、請求項33に記載のユーザのコンピューティングデバイス。
【請求項４３】
前記生成された画像特性データが前記メモリに記憶されている前記第1の連絡先データベース内の前記データと一致しないと判定したことに応答して、前記生成された画像特性データを含み前記未知の第三者に関する前記情報を要求するメッセージを、前記ビデオ通話に参加していない個人のコンピューティングデバイスに送信するステップをさらに含む動作を実行するように、前記プロセッサがプロセッサ実行可能命令によって構成される、請求項33に記載のユーザのコンピューティングデバイス。
【請求項４４】
前記ビデオ通話内で、前記未知の第三者と関連付けられるシグナリング情報を検出するステップと、
前記検出されたシグナリング情報の処理に基づいて、前記未知の第三者の身元特定情報を取得するステップとをさらに含む動作を実行するように、前記プロセッサがプロセッサ実行可能命令によって構成され、
前記検出されたシグナリング情報が、音、画像、一連の画像、一連の音、記号、および任意の形式のモールス信号シグナリングのうちの少なくとも1つである、請求項33に記載のユーザのコンピューティングデバイス。
【請求項４５】
前記別のデバイスが、前記ビデオ通話に参加している複数のデバイス中の第1の参加者のコンピューティングデバイスであり、
前記生成された画像特性データが前記ビデオ通話に参加している前記複数のデバイス中の前記第1の参加者のコンピューティングデバイスと関連付けられる前記第2の連絡先データベースからの前記データと一致しないと判定されたことに応答して、前記ビデオ通話に参加している前記複数のデバイス中の他のコンピューティングデバイスに、前記未知の第三者に関する前記情報を要求する前記メッセージを送信するステップと、
前記ビデオ通話に参加している前記複数のデバイス中の前記他のコンピューティングデバイスの連絡先データベース内のデータに対応する応答メッセージを受信するステップと、
前記受信された応答メッセージに基づいて、前記生成された画像特性データが前記ビデオ通話に参加している前記複数のデバイス中の前記他のコンピューティングデバイスの前記連絡先データベース内の前記データと一致するかどうかを判定するステップと、
前記生成された画像特性データが前記ビデオ通話に参加している前記複数のデバイス中の前記他のコンピューティングデバイスの少なくとも1つの連絡先データベースからのデータと一致すると判定されたことに応答して、前記未知の第三者に対応する前記連絡先情報を取得するステップとをさらに含む動作を実行するように、前記プロセッサがプロセッサ実行可能命令によって構成される、請求項33に記載のユーザのコンピューティングデバイス。
【請求項４６】
前記生成された画像特性データが前記ビデオ通話に参加している前記複数のデバイス中の前記他のコンピューティングデバイスのいずれの連絡先データベースからのデータとも一致しないと判定されたことに応答して、前記ビデオ通話に参加している前記複数のデバイス中の前記コンピューティングデバイスの連絡先データベース内で示される子孫コンピューティングデバイスからの前記未知の第三者に関する前記情報を要求するメッセージを、前記ビデオ通話に参加している前記複数のデバイス中のすべてのコンピューティングデバイスに送信するステップであって、前記子孫コンピューティングデバイスが、前記ビデオ通話に参加している前記複数のデバイス中の前記コンピューティングデバイスに対する近接度の順序で、前記ビデオ通話に参加している前記複数のデバイス中の前記コンピューティングデバイスによって連絡される、ステップと、
前記子孫コンピューティングデバイスの連絡先データベース内のデータに対応する追加の応答メッセージを受信するステップと、
前記受信された追加の応答メッセージに基づいて、前記生成された画像特性データが前記子孫コンピューティングデバイスの前記連絡先データベース内の前記データと一致するかどうかを判定するステップと、
前記生成された画像特性データが前記子孫コンピューティングデバイスの少なくとも1つの連絡先データベースからのデータと一致すると判定されたことに応答して、前記未知の第三者に対応する前記連絡先情報を取得するステップとをさらに含む動作を実行するように、前記プロセッサがプロセッサ実行可能命令によって構成される、請求項45に記載のユーザのコンピューティングデバイス。
【請求項４７】
前記生成された画像特性データが前記子孫コンピューティングデバイスのいずれの連絡先データベースからのデータとも一致しないと判定されたことに応答して、前記ユーザのコンピューティングデバイスによって受信される応答メッセージを送信したデバイスの連絡先データベース内で示されるデバイスからの前記未知の第三者に関する前記情報を要求する追加のメッセージを反復的に送信するステップであって、前記応答メッセージを送信した前記デバイスが少なくとも前記子孫コンピューティングデバイスを含む、ステップと、
受信された応答メッセージに基づいて前記ユーザのコンピューティングデバイスが前記未知の第三者を特定したかどうか、タイマの経過、および受信された応答メッセージの数のうちの1つに基づいて、前記追加のメッセージの反復的な送信を続けるかどうかを判定するステップとをさらに含む、
動作を実行するように、前記プロセッサがプロセッサ実行可能命令によって構成される、請求項46に記載のユーザのコンピューティングデバイス。
【請求項４８】
前記生成された画像特性データが前記メモリに格納された第1の連絡先データベース内のデータと一致するかどうかを判定するステップが、前記生成された画像特性データを、前記メモリに格納された前記第1の連絡先データベース内の画像と比較するステップを含むように、動作を実行するように、前記プロセッサがプロセッサ実行可能命令によって構成される、請求項33に記載のユーザのコンピューティングデバイス。
【請求項４９】
ユーザのコンピューティングデバイスのプロセッサに動作を実施させるように構成されるプロセッサ実行可能命令を記憶した非一時的プロセッサ可読記憶媒体であって、前記動作が、
ビデオ通話内の未知の第三者の画像に画像認識技法を適用して、前記ユーザのコンピューティングデバイス内で画像特性データを生成するステップと、
前記生成された画像特性データが前記ユーザのコンピューティングデバイス内の第1の連絡先データベース内のデータと一致するかどうかを判定するステップであって、前記第1の連絡先データベース内の前記データが少なくとも第1の画像を含む、ステップと、
前記生成された画像特性データが前記ユーザのコンピューティングデバイスの前記第1の連絡先データベース内の前記データと一致しないと判定したことに応答して、前記未知の第三者に関する情報を要求するメッセージを送信するステップと、
別のデバイスの第2の連絡先データベース内のデータに対応する応答メッセージを受信するステップであって、前記第2の連絡先データベース内の前記データが少なくとも第2の画像を含む、ステップと、
前記受信された応答メッセージに基づいて、前記生成された画像特性データが前記別のデバイスの前記第2の連絡先データベース内の前記データと一致するかどうかを判定するステップと、
前記生成された画像特性データが前記第1の連絡先データベースおよび前記第2の連絡先データベースのうち少なくとも1つからのデータと一致すると判定されたことに応答して、前記応答メッセージから前記未知の第三者に対応する連絡先情報を取得するステップと、
前記取得された連絡先情報に関連付けられたコンピューティングデバイスに、前記取得された連絡先情報に関連付けられた前記コンピューティングデバイスの位置情報を要求する身元確認メッセージを送信するステップと、
前記身元確認メッセージの送信に応答して、前記ユーザのコンピューティングデバイスにおいて、前記取得された連絡先情報に関連付けられた前記コンピューティングデバイスの位置情報を示すメッセージを受信するステップと、
前記取得された連絡先情報に関連付けられた前記コンピューティングデバイスが、前記ビデオ通話に参加するデバイスに近いかどうかを前記位置情報に基づいて判定するステップと、
前記取得された連絡先情報に関連付けられた前記コンピューティングデバイスが、前記ビデオ通話に参加するデバイスに近いと判定したことに応答して、前記未知の第三者に対応する前記取得された連絡先情報を使用するステップと
を含む、非一時的プロセッサ可読記憶媒体。
【請求項５０】
前記メッセージが、前記ビデオ通話に参加している別のコンピューティングデバイス、子孫コンピューティングデバイス、およびサーバのうちの少なくとも1つに送信される、請求項49に記載の非一時的プロセッサ可読記憶媒体。
【請求項５１】
前記生成された画像特性データが、顔の特徴、物理的な測定結果、性別、人種、体重、衣服の属性、位置、体の寸法、髪の色、刺青、およびグループとの関連のうちの少なくとも1つを記述するメタデータ情報を含む、請求項49に記載の非一時的プロセッサ可読記憶媒体。
【請求項５２】
前記ビデオ通話の画像内での選択を示す、前記ユーザのコンピューティングデバイスへのユーザ入力を検出するステップををさらに含む動作を前記プロセッサに実行させるように、前記記憶されたプロセッサ実行可能命令が構成され、
前記ビデオ通話内の前記未知の第三者の画像に画像認識技法を適用するステップが、前記ビデオ通話の前記画像内での前記示された選択において表される顔に顔認識技法を適用するステップを含むように、前記プロセッサに動作を実行させるように、前記記憶されたプロセッサ実行可能命令が構成される、
請求項49に記載の非一時的プロセッサ可読記憶媒体。
【請求項５３】
前記生成された画像特性データが前記ユーザのコンピューティングデバイスの前記第1の連絡先データベース内の前記データと一致しないと判定したことに応答して、前記未知の第三者に関する情報を要求するメッセージを送信するステップは、前記生成された画像特性データを含み、前記生成された画像特性データが別のデバイスの第2の連絡先データベース内のデータと一致するかどうかを判定するように前記別のデバイスに要求する、要求メッセージを送信するステップを含み、
前記生成された画像特性データが前記別のデバイスの前記第2の連絡先データベース内の前記データと一致するかどうかを判定するステップは、前記第2の連絡先データベースにおいて一致が発見されたことを示す前記受信された応答メッセージ内の情報に基づいて前記生成された画像特性データが前記別のデバイスの前記第2の連絡先データベース内の前記データと一致するかどうかを判定するステップを含み、
前記生成された画像特性データが前記第2の連絡先データベースからのデータと一致すると判定されたことに応答して、前記未知の第三者に対応する連絡先情報を取得するステップは、前記応答メッセージから前記連絡先情報を取得するステップを含む、
ように、前記プロセッサに動作を実行させるように、前記記憶されたプロセッサ実行可能命令が構成される、請求項49に記載の非一時的プロセッサ可読記憶媒体。
【請求項５４】
前記生成された画像特性データが前記ユーザのコンピューティングデバイスの前記第1の連絡先データベース内の前記データと一致しないと判定したことに応答して、前記未知の第三者に関する前記情報を要求するメッセージを送信するステップが、前記別のデバイスの前記第2の連絡先データベースからの連絡先情報データを要求するメッセージを送信するステップを含み、
前記生成された画像特性データが前記別のデバイスの前記第2の連絡先データベース内の前記データと一致するかどうかを判定するステップが、前記生成された画像特性データが前記応答メッセージにおいて受信される前記データと一致するかどうかを判定するステップを含み、
前記生成された画像特性データが前記第2の連絡先データベースからのデータと一致すると判定されたことに応答して、前記未知の第三者に対応する連絡先情報を取得するステップは、前記応答メッセージから前記連絡先情報を取得するステップを含む、
ように、前記プロセッサに動作を実行させるように、前記記憶されたプロセッサ実行可能命令が構成される、請求項49に記載の非一時的プロセッサ可読記憶媒体。
【請求項５５】
前記未知の第三者に対応する前記取得された連絡先情報を使用するステップが、
前記取得された連絡先情報を使用して、前記未知の第三者のコンピューティングデバイスに招待メッセージを送信するステップと、
前記ビデオ通話に対して前記未知の第三者を参加者として認めるステップと、
を含む、ように、前記プロセッサに動作を実行させるように、前記記憶されたプロセッサ実行可能命令が構成される、請求項49に記載の非一時的プロセッサ可読記憶媒体。
【請求項５６】
前記ビデオ通話内に現れる前記未知の第三者の画像と関連付けられる唇の動きの情報を検出するステップと、
前記ビデオ通話の前記検出された唇の動きの情報およびオーディオデータに基づいて、前記未知の第三者に関する身元特定オーディオデータを生成するステップとをさらに含む動作を前記プロセッサに実行させるように、前記記憶されたプロセッサ実行可能命令が構成され、
前記未知の第三者に関する前記情報を要求するメッセージを送信するステップが、前記生成された身元特定オーディオデータが前記別のデバイスの前記第2の連絡先データベース内のデータと一致するかどうかを判定するように前記別のデバイスに要求する、前記生成された身元特定オーディオデータを含む要求メッセージを送信するステップを含むように、前記プロセッサに動作を実行させるように、前記記憶されたプロセッサ実行可能命令が構成され、
前記受信された応答メッセージが、前記生成された身元特定オーディオデータが前記第2の連絡先データベース内のオーディオデータと一致するかどうかを示す、請求項49に記載の非一時的プロセッサ可読記憶媒体。
【請求項５７】
前記未知の第三者の前記取得された連絡先情報が、複数の一致する可能性がある者の連絡先情報を含み、
前記複数の一致する可能性がある者の各々と関連付けられるコンピューティングデバイスに、各々の一致する可能性がある者の位置情報を要求する前記身元確認メッセージを、前記ユーザのコンピューティングデバイスから送信するステップと、
前記複数の一致する可能性がある者の各々の位置情報を示す応答メッセージを前記ユーザのコンピューティングデバイスにおいて受信するステップと、
前記複数の一致する可能性がある者の各々に対する位置情報を示す前記受信された応答メッセージ中の前記位置情報に基づいて、前記ビデオ通話に参加しているデバイスに対する前記複数の一致する可能性がある者の各々の近接度を判定するステップと、
前記判定された近接度に基づいて、前記ビデオ通話に参加している前記デバイスに最も近いと判定された、前記複数の一致する可能性がある者の各々の一致する可能性がある者と関連付けられるコンピューティングデバイスに確認メッセージを送信するステップと、
前記判定された近接度に基づいて、前記複数の一致する可能性がある者のうちのある一致する可能性がある者のみが、前記ビデオ通話に参加している前記デバイスの近くにいると判定されたことに応答して、前記ある一致する可能性がある者として前記未知の第三者を特定するステップとをさらに含む動作を前記プロセッサに実行させるように、前記記憶されたプロセッサ実行可能命令が構成される、請求項49に記載の非一時的プロセッサ可読記憶媒体。
【請求項５８】
前記ビデオ通話内の前記未知の第三者の第2の顔の画像を取得するステップと、
前記第2の顔の画像を取得したことに応答して、前記ビデオ通話内の前記未知の第三者の前記第2の顔の画像に顔認識技法を適用して、前記ユーザのコンピューティングデバイス内で新たな画像特性データを生成するステップと、
前記新たな画像特性データが前記ユーザのコンピューティングデバイス内の前記第1の連絡先データベース内の前記データと一致するかどうかを判定するステップと、
前記新たな画像特性データが前記ユーザのコンピューティングデバイスの前記第1の連絡先データベース内の前記データと一致しないと判定したことに応答して、前記新たな画像特性データを含み前記未知の第三者に関する前記情報を要求する第2のメッセージを送信するステップとをさらに含む動作を前記プロセッサに実行させるように、前記記憶されたプロセッサ実行可能命令が構成される、請求項49に記載の非一時的プロセッサ可読記憶媒体。
【請求項５９】
前記生成された画像特性データが前記ユーザのコンピューティングデバイス内の前記第1の連絡先データベース内の前記データと一致しないと判定したことに応答して、前記生成された画像特性データを含み前記未知の第三者に関する前記情報を要求するメッセージを、前記ビデオ通話に参加していない個人のコンピューティングデバイスに送信するステップをさらに含む動作を前記プロセッサに実行させるように、前記記憶されたプロセッサ実行可能命令が構成される、請求項49に記載の非一時的プロセッサ可読記憶媒体。
【請求項６０】
前記ビデオ通話内で、前記未知の第三者と関連付けられるシグナリング情報を検出するステップと、
前記検出されたシグナリング情報の処理に基づいて、前記未知の第三者の身元特定情報を取得するステップとをさらに含む動作を前記プロセッサに実行させるように、前記記憶されたプロセッサ実行可能命令が構成され、
前記検出されたシグナリング情報が、音、画像、一連の画像、一連の音、記号、および任意の形式のモールス信号シグナリングのうちの少なくとも1つである、請求項49に記載の非一時的プロセッサ可読記憶媒体。
【請求項６１】
前記別のデバイスが、前記ビデオ通話に参加している複数のデバイス中の第1の参加者のコンピューティングデバイスであり、
前記生成された画像特性データが前記ビデオ通話に参加している前記複数のデバイス中の前記第1の参加者のコンピューティングデバイスと関連付けられる前記第2の連絡先データベースからの前記データと一致しないと判定されたことに応答して、前記ビデオ通話に参加している前記複数のデバイス中の他のコンピューティングデバイスに、前記未知の第三者に関する前記情報を要求する前記メッセージを送信するステップと、
前記ビデオ通話に参加している前記複数のデバイス中の前記他のコンピューティングデバイスの連絡先データベース内のデータに対応する応答メッセージを受信するステップと、
前記受信された応答メッセージに基づいて、前記生成された画像特性データが前記ビデオ通話に参加している前記複数のデバイス中の前記他のコンピューティングデバイスの前記連絡先データベース内の前記データと一致するかどうかを判定するステップと、
前記生成された画像特性データが前記ビデオ通話に参加している前記複数のデバイス中の前記他のコンピューティングデバイスの少なくとも1つの連絡先データベースからのデータと一致すると判定されたことに応答して、前記未知の第三者に対応する前記連絡先情報を取得するステップとをさらに含む動作を前記プロセッサに実行させるように、前記記憶されたプロセッサ実行可能命令が構成される、請求項49に記載の非一時的プロセッサ可読記憶媒体。
【請求項６２】
前記生成された画像特性データが前記ビデオ通話に参加している前記複数のデバイス中の前記他のコンピューティングデバイスのいずれの連絡先データベースからのデータとも一致しないと判定されたことに応答して、前記ビデオ通話に参加している前記複数のデバイス中の前記コンピューティングデバイスの連絡先データベース内で示される子孫コンピューティングデバイスからの前記未知の第三者に関する前記情報を要求するメッセージを、前記ビデオ通話に参加している前記複数のデバイス中のすべてのコンピューティングデバイスに送信するステップであって、前記子孫コンピューティングデバイスが、前記ビデオ通話に参加している前記複数のデバイス中の前記コンピューティングデバイスに対する近接度の順序で、前記ビデオ通話に参加している前記複数のデバイス中の前記コンピューティングデバイスによって連絡される、ステップと、
前記子孫コンピューティングデバイスの連絡先データベース内のデータに対応する追加の応答メッセージを受信するステップと、
前記受信された追加の応答メッセージに基づいて、前記生成された画像特性データが前記子孫コンピューティングデバイスの前記連絡先データベース内の前記データと一致するかどうかを判定するステップと、
前記生成された画像特性データが前記子孫コンピューティングデバイスの少なくとも1つの連絡先データベースからのデータと一致すると判定されたことに応答して、前記未知の第三者に対応する前記連絡先情報を取得するステップとをさらに含む動作を前記プロセッサに実行させるように、前記記憶されたプロセッサ実行可能命令が構成される、請求項61に記載の非一時的プロセッサ可読記憶媒体。
【請求項６３】
前記生成された画像特性データが前記子孫コンピューティングデバイスのいずれの連絡先データベースからのデータとも一致しないと判定されたことに応答して、前記ユーザのコンピューティングデバイスによって受信される応答メッセージを送信したデバイスの連絡先データベース内で示されるデバイスからの前記未知の第三者に関する前記情報を要求する追加のメッセージを反復的に送信するステップであって、前記応答メッセージを送信した前記デバイスが少なくとも前記子孫コンピューティングデバイスを含む、ステップと、
受信された応答メッセージに基づいて前記ユーザのコンピューティングデバイスが前記未知の第三者を特定したかどうか、タイマの経過、および受信された応答メッセージの数のうちの1つに基づいて、前記追加のメッセージの反復的な送信を続けるかどうかを判定するステップとをさらに含む動作を前記プロセッサに実行させるように、前記記憶されたプロセッサ実行可能命令が構成される、請求項62に記載の非一時的プロセッサ可読記憶媒体。
【請求項６４】
前記生成された画像特性データが前記ユーザのコンピューティングデバイス内の第1の連絡先データベース内のデータと一致するかどうかを判定するステップが、前記生成された画像特性データを前記ユーザのコンピューティングデバイス上の前記第1の連絡先データベース内の画像と比較するステップを含むように、前記プロセッサに動作を実行させるように、前記記憶されたプロセッサ実行可能命令が構成される、請求項49に記載の非一時的プロセッサ可読記憶媒体。
【請求項６５】
第1のコンピューティングデバイスおよび第2のコンピューティングデバイスを含む複数のコンピューティングデバイスを含むシステムであって、
前記第1のコンピューティングデバイスが、
第1のメモリと、
ネットワークと通信するように構成される第1の送受信機と、
前記第1のメモリおよび前記第1の送受信機に結合され、動作を実行するようにプロセッサ実行可能命令によって構成される、第1のプロセッサとを含み、前記動作が、
ビデオ通話内の未知の第三者の画像に画像認識技法を適用して、前記第1のコンピューティングデバイス内で画像特性データを生成するステップと、
前記生成された画像特性データが前記第1のコンピューティングデバイス内の第1の連絡先データベース内のデータと一致するかどうかを判定するステップであって、前記第1の連絡先データベース内の前記データが少なくとも第1の画像を含む、ステップと、
前記生成された画像特性データが前記第1のコンピューティングデバイスの前記第1の連絡先データベース内の前記データと一致しないと判定したことに応答して、前記第1の送受信機を介して、前記未知の第三者に関する情報を要求するメッセージを前記第2のコンピューティングデバイスに送信するステップと、
前記第1の送受信機を介して、前記第2のコンピューティングデバイスの第2の連絡先データベース内のデータに対応する応答メッセージを前記第2のコンピューティングデバイスから受信するステップと、
前記受信された応答メッセージに基づいて、前記生成された画像特性データが前記前記第2のコンピューティングデバイスの前記第2の連絡先データベース内の前記データと一致するかどうかを判定するステップと、
前記生成された画像特性データが前記第1の連絡先データベースおよび前記第2の連絡先データベースのうち少なくとも1つからのデータと一致すると判定されたことに応答して、前記応答メッセージから前記未知の第三者に対応する連絡先情報を取得するステップと、
前記第1の送受信機を介して、前記取得された連絡先情報に関連付けられたコンピューティングデバイスに、前記取得された連絡先情報に関連付けられた前記コンピューティングデバイスの位置情報を要求する身元確認メッセージを送信するステップと、
前記第1の送受信機を介して、前記身元確認メッセージの送信に応答して、前記取得された連絡先情報に関連付けられた前記コンピューティングデバイスの位置情報を示すメッセージを受信するステップと、
前記取得された連絡先情報に関連付けられた前記コンピューティングデバイスが、前記ビデオ通話に参加するデバイスに近いかどうかを前記位置情報に基づいて判定するステップと、
前記取得された連絡先情報に関連付けられた前記コンピューティングデバイスが、前記ビデオ通話に参加するデバイスに近いと判定したことに応答して、前記未知の第三者に対応する前記取得された連絡先情報を使用するステップと
を含み、
前記第2のコンピューティングデバイスが、
第2のメモリと、
前記ネットワークと通信するように構成される第2の送受信機と、
前記第2のメモリおよび前記第2の送受信機に結合され、動作を実行するようにプロセッサ実行可能命令によって構成される、第2のプロセッサとを含み、前記動作が、
前記未知の第三者に関する前記情報を要求する前記メッセージを、前記第2の送受信機を介して前記第1のコンピューティングデバイスから受信するステップと、
前記第2の連絡先データベース内の前記データに対応する前記応答メッセージを、
前記第2の送受信機を介して前記第1のコンピューティングデバイスに送信するステップとを含む、システム。
【請求項６６】
前記第2のコンピューティングデバイスが前記ビデオ通話に参加している、請求項65に記載のシステム。
【請求項６７】
前記生成された画像特性データが、顔の特徴、物理的な測定結果、性別、人種、体重、衣服の属性、位置、体の寸法、髪の色、刺青、およびグループとの関連のうちの少なくとも1つを記述するメタデータ情報を含む、請求項65に記載のシステム。
【請求項６８】
前記ビデオ通話の画像内での選択を示す、前記第1のコンピューティングデバイスへのユーザ入力を検出するステップをさらに含む動作を実行するように、前記第1のプロセッサがプロセッサ実行可能命令によって構成され、
前記ビデオ通話内の前記未知の第三者の画像に画像認識技法を適用するステップが、前記ビデオ通話の前記画像内での前記示された選択において表される顔に顔認識技法を適用するステップを含むように、動作を実行するように、前記第1のプロセッサがプロセッサ実行可能命令によって構成される、
請求項65に記載のシステム。
【請求項６９】
前記生成された画像特性データが前記第1のコンピューティングデバイスの前記第1の連絡先データベース内の前記データと一致しないと判定したことに応答して、前記未知の第三者に関する情報を要求するメッセージを前記第1の送受信機を介して前記第2のコンピューティングデバイスに送信するステップが、前記生成された画像特性データを含み、前記生成された画像特性データが前記第2の連絡先データベース内のデータと一致するかどうかを判定するように前記第2のコンピューティングデバイスに要求する、要求メッセージを前記第1の送受信機を介して前記第2のコンピューティングデバイスに送信するステップを含むように、動作を実行するように、前記第1のプロセッサがプロセッサ実行可能命令によって構成され、
前記生成された画像特性データが前記第2のコンピューティングデバイスの前記第2の連絡先データベース内の前記データと一致するかどうかを前記受信された応答メッセージに基づいて判定するステップが、前記第2の連絡先データベースにおいて一致が発見されたことを示す前記受信された応答メッセージ内の情報に基づいて前記生成された画像特性データが前記第2のコンピューティングデバイスのの前記第2の連絡先データベース内の前記データと一致するかどうかを判定するステップを含むように、動作を実行するように、前記第1のプロセッサがプロセッサ実行可能命令によって構成され、、
前記生成された画像特性データが前記第1の連絡先データベースまたは前記第2の連絡先データベースのうち少なくとも1つからのデータと一致すると判定されたことに応答して、前記未知の第三者に対応する連絡先情報を取得するステップが、前記応答メッセージから前記連絡先情報を取得するステップを含むように、動作を実行するように、前記第1のプロセッサがプロセッサ実行可能命令によって構成され、
前記第2の送受信機を介して、前記未知の第三者に関する前記情報を要求する前記メッセージを前記第1のコンピューティングデバイスから受信するステップが、
前記第2の送受信機を介して、前記未知の第三者に関する前記情報を要求した前記メッセージを受信するステップであって、前記メッセージは前記画像特性データを含む、ステップと、
前記受信された画像特性データが前記第2の連絡先データベース内の前記データと一致するかどうかを判定するステップと、
を含むように、動作を実行するように、前記第2のプロセッサがプロセッサ実行可能命令によって構成され、
前記第2の連絡先データベース内の前記データに対応する前記応答メッセージを、前記第2の送受信機を介して前記第1のコンピューティングデバイスに送信するステップが、前記受信された画像特性データが前記第2の連絡先データベース内の前記データに一致するかどうかを示す前記応答メッセージを、前記第2の送受信機を介して前記第1のコンピューティングデバイスに送信するステップを含むように、動作を実行するように、前記第2のプロセッサがプロセッサ実行可能命令によって構成される、
請求項65に記載のシステム。
【請求項７０】
前記受信された画像特性データが前記第第2の連絡先データベース内の前記データと一致するかどうかを判定するステップが、前記受信された画像特性データを第2の連絡先データベース内の画像と比較するステップを含むように、動作を実行するように、前記第2のプロセッサがプロセッサ実行可能命令によって構成される、請求項69に記載のシステム。
【請求項７１】
前記受信された画像特性データが前記第2の連絡先データベース内の前記データと一致するかどうかを判定するステップが、前記受信されたメッセージ内のオーディオデータが前記第2の連絡先データベース内のオーディオデータと一致するかどうかを判定するステップを含むように、動作を実行するように、前記第2のプロセッサがプロセッサ実行可能命令によって構成される、請求項69に記載のシステム。
【請求項７２】
前記第2の連絡先データベースの前記データにおいて示され、前記第2のコンピューティングデバイスの近くにあるデバイスを特定するステップと、
前記画像特性データが前記第2のコンピューティングデバイスに記憶されている前記第2の連絡先データベース内のいずれのデータとも一致しないと判定されたことに応答して、前記受信された画像特性データを含み前記未知の第三者に関する前記情報を要求するメッセージを前記特定されたデバイスに送信するステップとをさらに含む動作を実行するように、前記第2のプロセッサがプロセッサ実行可能命令によって構成される、請求項69に記載のシステム。
【請求項７３】
前記生成された画像特性データが前記第1のコンピューティングデバイスの前記第1の連絡先データベース内の前記データと一致しないと判定したことに応答して、前記未知の第三者に関する前記情報を要求するメッセージを、前記第1の送受信機を介して前記第2のコンピューティングデバイスに送信するステップが、
前記第2のコンピューティングデバイスの前記第2の連絡先データベースからの連絡先情報データを要求する前記メッセージを、前記第1の送受信機を介して前記第2のコンピューティングデバイスに送信するステップを含むように、動作を実行するように、前記第1のプロセッサがプロセッサ実行可能命令によって構成され、
前記受信された応答メッセージに基づいて、前記生成された画像特性データが前記第2のコンピューティングデバイスの前記第2の連絡先データベース内の前記データと一致するかどうかを判定するステップが、前記生成された画像特性データが前記応答メッセージで受信された前記データと一致するかどうかを判定するステップを含むように、動作を実行するように、前記第1のプロセッサがプロセッサ実行可能命令によって構成され、
前記生成された画像特性データが前記第1の連絡先データベースと前記第2の連絡先データベースの少なくとも1つからのデータと一致すると判定されたことに応答して、前記未知の第三者に対応する連絡先情報を取得するステップが、前記応答メッセージから前記連絡先情報を取得するステップを含むように、動作を実行するように、前記第1のプロセッサがプロセッサ実行可能命令によって構成され、
前記第2の連絡先データベース内の前記データに対応する前記応答メッセージを、前記第2の送受信機を介して前記第1のコンピューティングデバイスに送信するステップが、前記第2の連絡先データベースの前記データを含む前記応答メッセージを、前記第2の送受信機を介して前記第1のコンピューティングデバイスに送信するステップを含むように、動作を実行するように、前記第2のプロセッサがプロセッサ実行可能命令によって構成される、請求項65に記載のシステム。
【請求項７４】
前記未知の第三者に対応する前記取得された連絡先情報を使用するステップが前記ビデオ通話に対して前記未知の第三者を参加者として認めるステップを含むように、動作を実行するように、前記第1のプロセッサがプロセッサ実行可能命令によって構成される、請求項65に記載のシステム。
【請求項７５】
前記ビデオ通話内に現れる前記未知の第三者の画像と関連付けられる唇の動きの情報を検出するステップと、
前記ビデオ通話の前記検出された唇の動きの情報およびオーディオデータに基づいて、前記未知の第三者に関する身元特定オーディオデータを生成するステップとをさらに含む動作を実行するように、前記第1のプロセッサがプロセッサ実行可能命令によって構成され、
前記生成された画像特性データが前記第1のコンピューティングデバイスの前記第1の連絡先データベース内の前記データと一致しないと判定したことに応答して、前記未知の第三者に関する前記情報を要求するメッセージを、前記第1の送受信機を介して前記第2のコンピューティングデバイスに送信するステップが、前記生成された身元特定オーディオデータが前記第2の連絡先データベース内のデータと一致するかどうかを判定するように前記第2のコンピューティングデバイスに要求する、前記生成された身元特定オーディオデータを含む要求メッセージを、前記第1の送受信機を介して送信するステップを含むように、動作を実行するように、前記第1のプロセッサがプロセッサ実行可能命令によって構成される、請求項65に記載のシステム。
【請求項７６】
前記未知の第三者の前記取得された連絡先情報が、複数の一致する可能性がある者の連絡先情報を含む、請求項65に記載のシステムであって、前記複数の一致する可能性がある者と関連付けられる複数のデバイスをさらに含み、
前記複数の一致する可能性がある者と関連付けられる前記複数のデバイスの各々に、各々の一致する可能性がある者の位置情報を要求する前記身元確認メッセージを、前記第1の送受信機を介して送信するステップと、
前記複数の一致する可能性がある者の各々の位置情報を示す応答メッセージを、前記複数の一致する可能性がある者と関連付けられる前記複数のデバイスから、前記第1の送受信機を介して受信するステップと、
前記複数の一致する可能性がある者の各々に対する位置情報を示す前記受信された応答メッセージ中の前記位置情報に基づいて、前記ビデオ通話に参加しているデバイスに対する前記複数の一致する可能性がある者の各々の近接度を判定するステップと、
前記判定された近接度に基づいて、前記ビデオ通話に参加している前記デバイスに最も近いと判定された、前記複数の一致する可能性がある者のうちの一致する可能性がある者と関連付けられるデバイスに確認メッセージを、前記第1の送受信機を介して送信するステップと、
前記判定された近接度に基づいて、前記複数の一致する可能性がある者のうちのある一致する可能性がある者のみが、前記ビデオ通話に参加している前記デバイスの近くにいると判定されたことに応答して、前記ある一致する可能性がある者として前記未知の第三者を特定するステップと
をさらに含む動作を実行するように、前記第1のプロセッサがプロセッサ実行可能命令によって構成され、
前記複数の一致する可能性がある者と関連付けられる前記複数のデバイスの各デバイスが、
第3のメモリと、
前記ネットワークと通信するように構成される第3の送受信機と、
前記第3のメモリおよび前記第3の送受信機に結合され、動作を実行するようにプロセッサ実行可能命令によって構成される、第3のプロセッサとを含み、前記動作が、
各々の一致する可能性がある者の位置情報を要求する前記身元確認メッセージを、前記第3の送受信機を介して前記第1のコンピューティングデバイスから受信するステップと、
前記位置情報を示す前記応答メッセージの1つを、前記第3の送受信機を介して前記第1のコンピューティングデバイスに送信するステップとを含む、請求項65に記載のシステム。
【請求項７７】
前記ビデオ通話内の前記未知の第三者の第2の顔の画像を取得するステップと、
前記第2の顔の画像を取得したことに応答して、前記ビデオ通話内の前記未知の第三者の前記第2の顔の画像に顔認識技法を適用して、前記第1のコンピューティングデバイス内で新たな画像特性データを生成するステップと、
前記新たな画像特性データが前記第1のコンピューティングデバイス内の前記第1の連絡先データベース内の前記データと一致するかどうかを判定するステップと、
前記新たな画像特性データが前記第1のコンピューティングデバイスの前記第1の連絡先データベース内の前記データと一致しないと判定したことに応答して、前記新たな画像特性データを含み前記未知の第三者に関する前記情報を要求する第2のメッセージを、前記第1の送受信機を介して前記第2のコンピューティングデバイスに送信するステップとをさらに含む動作を実行するように、前記第1のプロセッサがプロセッサ実行可能命令によって構成される、請求項65に記載のシステム。
【請求項７８】
前記ビデオ通話に参加していない個人の第3のコンピューティングデバイスをさらに含み、
前記生成された画像特性データが前記第1のコンピューティングデバイス内の前記第1の連絡先データベース内の前記データと一致しないと判定したことに応答して、前記生成された画像特性データを含み前記未知の第三者に関する前記情報を要求する第3のメッセージを、前記第1の送受信機を介して前記ビデオ通話に参加していない前記個人の前記第3のコンピューティングデバイスに送信するステップをさらに含む動作を実行するように、前記第1のプロセッサがプロセッサ実行可能命令によって構成される、請求項65に記載のシステム。
【請求項７９】
前記ビデオ通話内で、前記未知の第三者と関連付けられるシグナリング情報を検出するステップと、
前記検出されたシグナリング情報の処理に基づいて、前記未知の第三者の身元特定情報を取得するステップとをさらに含む動作を実行するように、前記第1のプロセッサがプロセッサ実行可能命令によって構成され、
前記検出されたシグナリング情報が、音、画像、一連の画像、一連の音、記号、および任意の形式のモールス信号シグナリングのうちの少なくとも1つである、請求項65に記載のシステム。
【請求項８０】
前記ビデオ通話に参加している複数のデバイスをさらに含み、
前記生成された画像特性データが前記第2の連絡先データベースからの前記データと一致しないと判定されたことに応答して、前記ビデオ通話に参加している前記複数のデバイスに、前記未知の第三者に関する前記情報を要求するメッセージを、前記第1の送受信機に送信するステップと、
前記ビデオ通話に参加している前記複数のデバイスの連絡先データベース内のデータに対応する応答メッセージを、前記第1の送受信機を介して受信するステップと、
前記受信された応答メッセージに基づいて、前記生成された画像特性データが前記ビデオ通話に参加している前記複数のデバイスの前記連絡先データベース内の前記データと一致するかどうかを判定するステップと、
前記生成された画像特性データが前記ビデオ通話に参加している前記複数のデバイスの少なくとも1つの連絡先データベースからのデータと一致すると判定されたことに応答して、前記未知の第三者に対応する前記連絡先情報を取得するステップと
をさらに含む動作を実行するように、前記第1のプロセッサがプロセッサ実行可能命令によって構成され、
前記ビデオ通話に参加している前記複数のデバイスの各々が、
第3のメモリと、
前記ネットワークと通信するように構成される第3の送受信機と、
前記第3のメモリおよび前記第3の送受信機に結合され、動作を実行するようにプロセッサ実行可能命令によって構成される、第3のプロセッサとを含み、前記動作が、
前記第1のコンピューティングデバイスからの前記未知の第三者に関する前記情報を要求する前記メッセージの1つを、前記第3の送受信機を介して受信するステップと、
前記ビデオ通話に参加している前記複数のデバイスの前記連絡先データベース内の前記データに対応する前記応答メッセージの1つを、前記第3の送受信機を介して前記第1のコンピューティングデバイスに送信するステップとを含む、請求項65に記載のシステム。
【請求項８１】
前記ビデオ通話に参加している前記複数のデバイスの連絡先データベース内で示される、複数の子孫コンピューティングデバイスをさらに含み、
前記生成された画像特性データが前記ビデオ通話に参加している前記複数のデバイスのいずれの連絡先データベースからのデータとも一致しないと判定されたことに応答して、前記複数の子孫コンピューティングデバイスからの前記未知の第三者に関する前記情報を要求するメッセージを、前記第1の送受信機を介して前記ビデオ通話に参加している前記複数のデバイスに送信するステップであって、前記第2のコンピューティングデバイスが、前記ビデオ通話に参加している前記複数のデバイスの中にある、ステップと、
前記複数の子孫コンピューティングデバイスの連絡先データベース内のデータに対応する追加の応答メッセージを、前記第1の送受信機を介して受信するステップと、
前記受信された追加の応答メッセージに基づいて、前記生成された画像特性データが前記複数の子孫コンピューティングデバイスの前記連絡先データベース内の前記データと一致するかどうかを判定するステップと、
前記生成された画像特性データが前記複数の子孫コンピューティングデバイスの少なくとも1つの連絡先データベースからのデータと一致すると判定されたことに応答して、前記未知の第三者に対応する前記連絡先情報を取得するステップと
をさらに含む動作を実行するように、前記第1のプロセッサがプロセッサ実行可能命令によって構成され、
前記未知の第三者に関する前記情報を要求する前記メッセージを、前記第3の送受信機を介して前記複数の子孫コンピューティングデバイスに送信するステップをさらに含む動作を実行するように、前記ビデオ通話に参加している前記複数のデバイスの各々の前記第3のプロセッサがプロセッサ実行可能命令によって構成され、前記複数の子孫コンピューティングデバイスが、前記ビデオ通話に参加している前記複数のデバイスに対する近接度の順序で連絡され、
前記複数の子孫コンピューティングデバイスの各々が、
第4のメモリと、
前記ネットワークと通信するように構成される第4の送受信機と、
前記第4のメモリおよび前記第4の送受信機に結合され、動作を実行するようにプロセッサ実行可能命令によって構成される、第4のプロセッサとを含み、前記動作が、
前記ビデオ通話に参加している前記複数のデバイスからの前記未知の第三者に関する前記情報を要求する前記メッセージの1つを、前記第4の送受信機を介して受信するステップと、
前記複数の子孫コンピューティングデバイスの前記連絡先データベース内の前記データに対応する前記追加の応答メッセージの1つを、前記第4の送受信機を介して前記第1のコンピューティングデバイスに送信するステップとを含む、請求項80に記載のシステム。
【請求項８２】
前記生成された画像特性データが前記複数の子孫コンピューティングデバイスのいずれの連絡先データベースからのデータとも一致しないと判定されたことに応答して、前記第1のコンピューティングデバイスによって受信される応答メッセージを送信したデバイスの連絡先データベース内で示されるデバイスからの前記未知の第三者に関する前記情報を要求する追加のメッセージを、前記第1の送受信機を介して反復的に送信するステップであって、前記応答メッセージを送信した前記デバイスが少なくとも前記複数の子孫コンピューティングデバイスを含む、ステップと、
前記受信された応答メッセージに基づいて前記第1のコンピューティングデバイスが前記未知の第三者を特定したかどうか、タイマの経過、および受信された応答メッセージの数のうちの1つに基づいて、前記追加のメッセージの反復的な送信を続けるかどうかを判定するステップと
をさらに含む動作を実行するように、前記第1のプロセッサがプロセッサ実行可能命令によって構成される、請求項81に記載のシステム。
【請求項８３】
前記生成された画像特性データが前記第1のコンピューティングデバイス内の第1の連絡先データベース内のデータと一致するかどうかを判定するステップが、前記生成された画像特性データを前記第1のコンピューティングデバイス上の前記第1の連絡先データベース内の画像と比較するステップを含むように、動作を実行するように、前記第1のプロセッサがプロセッサ実行可能命令によって構成される、請求項65に記載のシステム。